(57)【要約】【課題】シートのリクライニングにより十分に体を伸ばすことができ、さらにリクライニングしたシートを素早く元のシート状態に戻すことが可能な車両用シートを提供すること。【解決手段】本発明に係る車両用シート１は、前部がフレーム７に回動可能に取り付けられて後部が上下動するシートクッション部２と、シートクッション部２の後部に回動可能に連結されるとともに、フレーム７の後部に回転可能に取り付けられた支持フレーム１６により揺動可能に支持されるシートバック部３とを備えている。ユーザは、シートバック部３を揺動させて、シートクッション部２とシートバック部２との連結部２０を上昇させることにより、シートクッション部２とシートバック部３との角度θを大きくすることができる。【選択図】  図６
2004313387.tif 000002
【特許請求の範囲】
【請求項１】
前部がフレームに回動可能に取り付けられて後部が上下動するシートクッション部と、
該シートクッション部の後部に回動可能に連結されるとともに、前記フレームの後部に回転可能に取り付けられた支持フレームにより揺動可能に支持されるシートバック部とを備え、
該シートバック部を揺動させて前記シートクッション部と前記シートバック部との連結部を上昇させることにより、前記シートクッション部と前記シートバック部との角度を大きくすることが可能であることを特徴とする車両用シート。
【請求項２】
前記シートバック部は、支持フレームにより支持される支持点を前記シートバック部のヘッドレスト方向に移動させるための支持点スライド機構を備え、
該支持点スライド機構による前記支持点の移動に応じて、前記シートバック部の傾斜角度が変化することを特徴とする請求項１に記載の車両用シート。
【請求項３】
前記フレームは、車両床面に固定される固定レールと、該固定レールに案内されて車両前後方向にスライドする可動レールとを備えることを特徴とする請求項１または請求項２に記載の車両用シート。
【請求項４】
前記フレームには、前記シートクッション部を当該フレームに固定するロック機構が設けられており、該ロック機構を解除した場合にのみ前記シートバック部を揺動させて前記シートクッション部と前記シートナック部との角度を大きくすることが可能となることを特徴とする請求項１乃至請求項３のいずれか１項に記載の車両用シート。
【請求項５】
前記ロック機構は、少なくとも、オートマティックトランスミッションのセレクタがパーキングに設定されている場合、または、パーキングブレーキが掛けられている場合にしか、ロックを解除することができないことを特徴とする請求項４に記載の車両用シート。
【発明の詳細な説明】
【０００１】
【発明の属する技術分野】
本発明は、シートバック部をリクライニングさせることが可能な車両用シートに関する。
【０００２】
【従来の技術】
一般的な車両用シートは、車両床面に前後動可能に取り付けられるシートクッション部と、シートクッション部にリクライニング機構を介して傾動可能に設けられるシートバック部とを備えている。リクライニング機構には、電動稼働機構またはラッチ機構が用いられており、ユーザは、電動稼働機構用の操作ボタンまたはラッチ機構用のリクライニングレバーを操作することによってシートバック部を好適な角度に傾動・保持させることが可能となっている（特許文献１参照）。
【０００３】
【特許文献１】
特開２０００−１５３７３０号公報
【０００４】
【発明が解決しようとする課題】
しかしながら、従来の車両用シートにおいてユーザが背伸びを行う場合、従来のシート構造では、シートバック部を傾斜させてシートをリクライニング姿勢にしても、ユーザの腰部がシートバック部とシートクッション部との連結部に位置して沈み込んでしまうので、十分に体を伸ばすことができないという問題がある。
【０００５】
また、ユーザがリクライニング姿勢の状態から操作ボタンまたはリクライニングレバーを操作してシートバック部を起立させるためには、一般的に上半身を起こして体の重心をシートクッション部に移動させてからシートバック部を起立させる必要があるため、シートを元の状態に戻す際にユーザに多くの動作負担を掛けてしまうとともに、素早く元のシート状態に戻すことができないとう問題があった。
【０００６】
本発明は上記の課題に鑑みてなされたものであり、シートのリクライニングにより十分に体を伸ばすことができ、さらにリクライニングしたシートを素早く元のシート状態に戻すことが可能な車両用シートを提供する。
【０００７】
【課題を解決するための手段】
上記課題を解決するために、本発明は、前部がフレームに回動可能に取り付けられて後部が上下動するシートクッション部と、該シートクッション部の後部に回動可能に連結されるとともに、前記フレームの後部に回転可能に取り付けられた支持フレームにより揺動可能に支持さえるシートバック部とを備え、該シートバック部を揺動させて前記シートクッション部と前記シートバック部との連結部を上昇させることにより、前記シートクッション部と前記シートバック部との角度を大きくすることが可能な車両用シートであることを特徴とする。
【０００８】
このような構成にすることによって、ユーザが車両用シートで背伸びを行う場合に、連結部により腰が持ち上げられて体が反りかえり易くなるので、体全体を伸ばすことが容易となるとともに、素早くシートを倒すことが可能となる。
【０００９】
また、腰を曲げて連結部を押し下げることによってシートクッション部がフレーム側に戻るとともに、シートバック部が起立して元の角度に戻るので、素早くシートを元の状態に戻すことが可能となる。
【００１０】
【発明の実施の形態】
以下、本発明に係る車両用シート、図面を用いて詳述する。
【００１１】
図１、図２に示すように、本発明に係る車両用シート１は、ユーザが腰をかけるシートクッション部２と、ユーザの上半身を後方より支えるシートバック部３とを備えている。
【００１２】
シートクッション部２は、車体床面４に固定されたシートレール（フレーム）５を介して車両床面に取り付けられている。シートレール５は、シートクッション部２の下方に左右一対に設けられており、一つのシートレール５は、車体床面に固定される固定レール６と固定レール６に案内されてスライドする可動レール７とにより構成されている。
【００１３】
シートクッション部２は、可動レール７の前端部に設けられる回転ジョイント部８を介して可動レール７に固定されており、回転ジョイント部８の軸芯を回転軸としてシートクッション部２の後端部を上下動する方向に回動させることが可能となっている。また、可動レール７の後部には、シートクション部２を可動レール７に固定するためのロック機構１０が設けられている。固定ロック機構１０は、シートクッション部２の底面に形成された突起部１１に嵌合する嵌合凹部１２を有しており、嵌合凹部１２には、嵌合された突起部１１が嵌合凹部１２から離れないように突起部１１を把持（ロック）する把持部（図示省略）が設けられている。把持部は、パーキングブレーキを掛けたときに、またはＡＴ（オートマティックトランスミッション）セレクタがパーキングに設定されたときであって、シートバック部の側方に設けられたロック解除ボタン１３を押下された場合にのみ突起部１１の把持（ロック）を解除する。
【００１４】
シートバック部３は、シートクッション部２の後端部に傾動（回動）自在に設けられており、さらに、シートバック部３は、可動レール７の後端部に回動可能に設けられたシートバック支持機構１５を介してシートバック部３の左右側方より支持されている。
【００１５】
シートバック支持機構１５は、図３に示すように、可動レール７に回動可能に取り付けられるシートバック支持リンク１６と、シートバック支持リンク１６の端部に回動可能に取り付けられる補助部材１７と、補助部材１７に螺合されるスクリュー１８と、スクリューを回動させる駆動ユニット１９とにより構成されている。
【００１６】
シートバック支持リンク１６は、可動レール７の後端部よりシートクッション部２とシートバック部３との連結部２０近傍へと緩やかにカーブを描きながら湾曲した後に、シートバック部３に沿って延びるＪ字形状を呈している。補助部材１７は、シートバック支持リンク１６のシートバック部３側の端部に取り付けられており、スクリュー１８に螺合する螺合穴１７ａが設けられている。
【００１７】
スクリュー１８は、軸受け部２１と駆動ユニット１９とにより挟持されてシートバック部３の左右に一対に設けられており、駆動ユニット１９の動力に伴って回転する構造となっている。
【００１８】
次に、シートクッション部２の側方に設けられた操作部２２が操作された場合のシートバック部３及びシートクッション部２の動作を説明する。
【００１９】
ロック機構１０によりシートクッション部２が可動レール７にロックされている場合に、ユーザが操作部２２のスライドボタン２３を操作すると、スライドボタン２３の操作に応じて、シートクッション部２が車両前後方向にスライドする。
【００２０】
一方、ロック機構１０によりシートクッション部２がロックされている場合に、傾動ボタン２４が操作されると、傾動ボタン２４の操作に応じて駆動ユニット１９が駆動し、スクリュー１８が回転する。スクリュー１８の回転に伴って補助部材１７が上方（ヘッドレスト２５方向）に移動すると、図４に示すように、シートバック部３がシートバック支持リンク１６により、連結部２０を回転軸としてシートの後下方に引き下げられてシートバック部３が傾斜する。反対に、傾動ボタン２４の操作により補助部材１７が降下すると、図５に示すように、シートバック部３が起立する方向に移動する。このように、ロック機構１０によりシートクッション部２が可動レール７にロックされているときに、操作部２２の傾動ボタン２４を操作すると、シートバック部３の傾斜角度を変更させることが可能となる。
【００２１】
シートバック部３がある程度が傾斜されている状態で、ロック解除ボタン３０が押されてロック機構１０が解除された場合には、図６に示すように、車両用シート１が可動レール７の前端部の回転ジョイント部８とシートバック支持リンク１６とにより可動レール７に固定される状態となり、さらに連結部２０において、シートバック部３がシートクッション部２に傾動（回動）自在に連結されているので、背中でシートバック部３を押し倒してユーザが背伸びを行うことによって、連結部２０が上昇してシートクッション部２とシートバック部３との角度θが大きくなる。このため、ユーザが車両用シート１で背伸びを行う場合に、連結部２０により腰が持ち上げられて体が反りかえり易くなるので、体全体を伸ばすことが容易となるとともに、傾動ボタン２４等を操作することなく素早くシートを倒すことが可能となる。
【００２２】
さらに、腰を曲げて連結部２０を押し下げることによってシートクッション部２が可動レール７側に戻るとともに、シートバック部３が起立して元の傾斜角度に戻るので、傾動ボタン２４を操作することなく素早くシートを元の状態に戻すことが可能となる。また、従来のように上半身を起こして体の重心をシートクッション部２に移動させてからシートバック部３を起立させる必要がないので、シートを元の状態に戻す際のユーザの動作負担を軽減させることができる。
【００２３】
また、ロック機構１０は、上述したように、ロック解除ボタン１３を押下しても、パーキングブレーキを掛けたときまたはＡＴセレクタがパーキングに設定されたときにしか、ロックが解除されないので、車両走行中にロック機構が解除されることを防止することができ、走行時の安全性を高めることが可能となる。
【００２４】
【発明の効果】
以上説明したように、本発明に係る車両用シートを用いることによって、ユーザが車両用シートで背伸びを行う場合に、連結部により腰が持ち上げられて体が反りかえり易くなるので、体全体を伸ばすことが容易となるとともに、素早くシートを倒すことが可能となる。
【００２５】
さらに、腰を曲げて連結部を押し下げることによってシートクッション部がフレーム側に戻るとともに、シートバック部が起立して元の傾斜角度に戻るので、素早くシートを元の状態に戻すことが可能となる。
【図面の簡単な説明】
【図１】本発明に係る車両用シートを示した側面図である。
【図２】本発明に係る車両用シートを示した正面図である。
【図３】本発明の実施の形態に係るシートバック支持機構を示した図である。
【図４】本発明に係る車両用シートにおいて、補助部材の上方への移動に応じて傾動されるシートバック部を示した側面図である。
【図５】本発明に係る車両用シートにおいて、補助部材の降下に応じて傾動されるシートバック部を示した側面図である。
【図６】本発明に係る車両用シートにおいて、連結部が上昇してシートクッション部とシートバック部との角度θが大きくなった様子を示した側面図である。
【符号の説明】
１  車両用シート
２  シートクッション部
３  シートバック部
５  シートレール（フレーム）
６  固定レール
７  可動レール
８  回転ジョイント部
１０  ロック機構
１３  ロック解除ボタン
１５  シートバック支持機構
１６  シートバック支持リンク（支持フレーム）
１７  補助部材
１８  スクリュー（支持点スライド機構）
１９  駆動ユニット（支持点スライド機構）
２０  連結部
２２  操作部
２３  スライドボタン
２４  傾動ボタン
【図１】
2004313387.tif 000003
【図２】
2004313387.tif 000004
【図３】
2004313387.tif 000005
【図４】
2004313387.tif 000006
【図５】
2004313387.tif 000007
【図６】
2004313387.tif 000008